【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
撮像素子を用いて周期的に被写体を撮像する撮像制御手段と、
前記撮像制御手段により撮像された画像データに対して所定の被写体を検出する被写体検出を行う第１の被写体検出手段と、
前記撮像制御手段による周期的な撮像中に静止画撮影を指示する撮影指示手段と、
前記撮影指示手段により撮影が指示された場合は、前記撮像素子を用いて被写体の静止画撮影を行う静止画撮影制御手段と、
前記静止画撮影制御手段により撮影された静止画像データに対して前記所定の被写体を検出する被写体検出を行う第２の被写体検出手段と、
前記第１の被写体検出手段による被写体検出の結果と、前記第２の被写体検出手段による被写体検出の結果とを比較する比較手段と、
前記比較手段による比較結果を報知する報知手段と、
を備えたことを特徴とする撮像装置。
【請求項２】
前記報知手段は、
前記比較手段による比較の結果、一致しなかった場合は、その旨を示す報知をすることを特徴とする請求項１記載の撮像装置。
【請求項３】
表示手段を更に備え、
前記報知手段は、
前記比較手段による比較の結果、一致した場合は、前記静止画撮影制御手段によって撮影された静止画像データを前記表示手段に表示させ、一致しなかった場合は、前記静止画撮影制御手段によって撮影された静止画像データを前記表示手段に表示させずに、前記撮像制御手段による撮像を再開することで、その旨を報知することを特徴とする請求項１又は２記載の撮像装置。
【請求項４】
表示手段を更に備え、
前記報知手段は、
前記比較手段による比較の結果、一致しなかった場合は、その旨を示す表示を前記表示手段に表示させることにより報知することを特徴とする請求項１又は２記載の撮像装置。
【請求項５】
前記撮像制御手段により撮像された画像データ及び前記静止画撮影制御手段により撮影された静止画像データを前記表示手段に表示させる表示制御手段を更に備え、
前記報知手段は、
前記比較手段による比較の結果、一致しなかった場合は、前記表示制御手段により前記表示手段に表示される静止画像データにおいて、前記第１の被写体検出手段又は前記第２の被写体検出手段により検出された被写体領域の該一致しなかった被写体領域を前記表示手段に識別表示させることにより報知することを特徴とする請求項４記載の撮像装置。
【請求項６】
前記報知手段は、
前記比較手段による比較の結果、一致しなかった場合は、前記表示制御手段により前記表示手段に表示される静止画像データにおいて、前記第１の被写体検出手段又は前記第２の被写体検出手段により検出された被写体領域の該一致しなかった被写体領域の画像データを前記表示手段に拡大表示させることにより識別表示することを特徴とする請求項４記載の撮像装置。
【請求項７】
前記比較手段は、
前記第１の被写体検出手段による被写体検出の結果と、前記第２の被写体検出手段による被写体検出の結果を比較する際、検出された被写体の数が所定の範囲内で一致するか否か、検出された被写体の位置が所定の範囲内で一致するか否か、検出された被写体の大きさが所定の範囲内で一致するか否か、のうち少なくとも１つを比較することを特徴とする請求項１乃至６の何れかに記載の撮像装置。
【請求項８】
前記第１の被写体検出手段及び前記第２の被写体検出手段は、
被写体の笑顔の度合を示す笑顔評価値を検出する笑顔検出手段を更に備え、
前記比較手段は、
前記笑顔検出手段によって検出された笑顔評価値を比較することを特徴とする請求項１乃至７の何れかに記載の撮像装置。
【請求項９】
前記比較手段は、
前記第１の被写体検出手段による被写体検出の結果と、前記第２の被写体検出手段による被写体検出の結果とが一致しているか否かを比較することを特徴とする請求項１乃至８の何れかに記載の撮像装置。
【請求項１０】
前記撮像制御手段による撮像中に撮影の準備を指示する撮影準備指示手段を備え、
前記比較手段は、
前記撮影準備指示手段による撮影準備の指示があった時に、前記撮像制御手段により撮像された画像データに対して行われた前記第１の被写体検出手段による被写体検出の結果と、前記第２の被写体検出手段による被写体検出の結果とを比較することを特徴とする請求項１乃至９の何れかに記載の撮像装置。
【請求項１１】
前記第１の被写体検出手段は、
前記撮影指示手段による撮影の指示直前に前記撮像制御手段によって撮像された画像データに対して所定の被写体を検出することを特徴とする請求項１乃至１０の何れかに記載の撮像装置。
【請求項１２】
前記第1の被写体検出手段は前記撮像制御手段によって周期的に撮像される画像データに対して順次、所定の被写体を検出し、
前記比較手段は、
撮像された各画像データに対してそれぞれ行われた被写体検出の結果のうち、前記撮影指示手段によって撮影が指示された時の前記第１の被写体検出手段による検出結果から所定回数前に検出された検出結果、前記撮影指示手段によって撮影が指示された時から所定時間前に検出された検出結果、前記第１の被写体検出手段によって検出された検出結果のうち最も優先度の高い被写体検出の結果から、何れか１つの検出結果を前記第２の被写体検出手段による検出結果と比較することを特徴とする請求項１乃至１１の何れかに記載の撮像装置。
【請求項１３】
前記被写体検出の結果の優先度とは、
検出された各被写体の画角中央からの近さ、画像データの検出された各被写体の大きさ、検出された被写体の数のうち、少なくとも１つ以上の条件に基づいて、定められることを特徴とする請求項１２記載の撮像装置。
【請求項１４】
前記第２の被写体検出手段は、
前記第１の被写体検出手段の検出結果における被写体の領域と同じ領域となる前記静止画撮影制御手段により撮影された静止画像データ内の領域に対して、前記所定の被写体を検出する被写体検出を行うことを特徴とする請求項１乃至１３の何れかに記載の撮像装置。
【請求項１５】
撮像装置が備えるコンピュータを、
撮像素子を用いて周期的に被写体を撮像する撮像制御手段、
前記撮像制御手段により撮像された画像データに対して所定の被写体を検出する被写体検出を行う第１の被写体検出手段、
前記撮像制御手段による周期的な撮像中に静止画撮影を指示する撮影指示手段、
前記撮影指示手段により撮影が指示された場合は、前記撮像素子を用いて被写体の静止画撮影を行う静止画撮影制御手段、
前記静止画撮影制御手段により撮影された静止画像データに対して前記所定の被写体を検出する被写体検出を行う第２の被写体検出手段、
前記第１の被写体検出手段による被写体検出の結果と、前記第２の被写体検出手段による被写体検出の結果とを比較する比較手段、
前記比較手段による比較結果を報知する報知手段
として機能させることを特徴とするプログラム。
【手続補正２】
【補正対象書類名】明細書
【補正対象項目名】００１４
【補正方法】変更
【補正の内容】
【００１４】
また、例えば、請求項９に記載されているように、前記比較手段は、前記第１の被写体検出手段による被写体検出の結果と、前記第２の被写体検出手段による被写体検出の結果とが一致しているか否かを比較するようにしてもよい。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
また、例えば、請求項１０に記載されているように、前記撮像制御手段による撮像中に撮影の準備を指示する撮影準備指示手段を備え、前記比較手段は、前記撮影準備指示手段による撮影準備の指示があった時に、前記撮像制御手段により撮像された画像データに対して行われた前記第１の被写体検出手段による被写体検出の結果を前記第２の被写体検出手段による被写体検出の結果と比較するようにしてもよい。
【手続補正６】
【補正対象書類名】明細書
【補正対象項目名】００１８
【補正方法】変更
【補正の内容】
【００１８】
また、例えば、請求項１１に記載されているように、前記第１の被写体検出手段は、前記撮影指示手段による撮影の指示直前に前記撮像制御手段によって撮像された画像データに対して所定の被写体を検出し、前記比較手段は、前記撮影指示手段による撮影の指示直前に前記撮像制御手段によって撮像された画像データに対する前記第１の被写体検出手段の検出結果と、前記第２の被写体検出手段の検出結果とを比較するようにしてもよい。
【手続補正７】
【補正対象書類名】明細書
【補正対象項目名】００１９
【補正方法】変更
【補正の内容】
【００１９】
また、例えば、請求項１２に記載されているように、前記第1の被写体検出手段は前記撮像制御手段によって周期的に撮像される画像データに対して順次、所定の被写体を検出し、前記比較手段は、撮像された各画像データに対してそれぞれ行われた被写体検出の結果のうち、前記撮影指示手段によって撮影が指示された時の前記第１の被写体検出手段による検出結果から所定回数前に検出された検出結果、前記撮影指示手段によって撮影が指示された時から所定時間前に検出された検出結果、前記第１の被写体検出手段によって検出された検出結果のうち最も優先度の高い被写体検出の結果から、何れか１つの検出結果を前記第２の被写体検出手段による検出結果と比較するようにしてもよい。
【手続補正８】
【補正対象書類名】明細書
【補正対象項目名】００２０
【補正方法】変更
【補正の内容】
【００２０】
また、例えば、請求項１３に記載されているように、前記被写体検出の結果の優先度とは、検出された各被写体の画角中央からの近さ、画像データの検出された各被写体の大きさ、検出された被写体の数のうち、少なくとも１つ以上の条件に基づいて、定められるようにしてもよい。
【手続補正９】
【補正対象書類名】明細書
【補正対象項目名】００２１
【補正方法】変更
【補正の内容】
【００２１】
また、例えば、請求項１４に記載されているように、前記第２の被写体検出手段は、前記第１の被写体検出手段の検出結果における被写体の領域と同じ領域となる前記静止画撮影制御手段により撮影された静止画像データ内の領域に対して、前記所定の被写体を検出する被写体検出を行うようにしてもよい。
【手続補正１０】
【補正対象書類名】明細書
【補正対象項目名】００２２
【補正方法】変更
【補正の内容】
【００２２】
上記目的達成のため、請求項１５記載の発明によるプログラムは、撮像装置が備えるコンピュータを、
撮像素子を用いて周期的に被写体を撮像する撮像制御手段、
前記撮像制御手段により撮像された画像データに対して所定の被写体を検出する被写体検出を行う第１の被写体検出手段、
前記撮像制御手段による周期的な撮像中に静止画撮影を指示する撮影指示手段、
前記撮影指示手段により撮影が指示された場合は、前記撮像素子を用いて被写体の静止画撮影を行う静止画撮影制御手段、
前記静止画撮影制御手段により撮影された静止画像データに対して前記所定の被写体を検出する被写体検出を行う第２の被写体検出手段、
前記第１の被写体検出手段による被写体検出の結果と、前記第２の被写体検出手段による被写体検出の結果とを比較する比較手段、
前記比較手段による比較結果を報知する報知手段
として機能させることを特徴とする。